(57)【要約】      （修正有）【課題】コンパクト、軽量で、作業性がよく、タケノコ掘りが簡単なうえ、その労力を大幅に軽減することができるタケノコ堀具を提供する。【解決手段】柄２と、柄２の上部に設けた取っ手３と、柄２の下端に設けた板状の刃部４と、刃部４の上方で柄２に柄２と直交する方向へ突設され、刃部４の地面への突き刺しを補助するために足を載せ踏み込む箇所である足踏バー５と、からなる。【選択図】図１
0003212042.tif 000002
【実用新案登録請求の範囲】
【請求項１】
柄と、前記柄の上部に設けた取っ手と、前記柄の下端に設けた板状の刃部と、前記刃部の上方で前記柄に前記柄と直交する方向へ突設され、前記刃部の地面への突き刺しを補助するために足を載せ踏み込む箇所である足踏バーと、からなることを特徴とするタケノコ掘具。
【請求項２】
前記刃部の縦断面形状が、前記刃部の刃先がタケノコ側方向に湾曲した凹形状であることを特徴とする請求項１に記載のタケノコ掘具。
【請求項３】
前記足踏バーを、前記柄の対向する位置に左右２本備えることを特徴とする請求項１に記載のタケノコ掘具。
【考案の詳細な説明】
【技術分野】
【０００１】
本考案は、コンパクト、軽量で、作業性がよく、タケノコ掘りが簡単なうえ、その労力を大幅に軽減することができるタケノコ堀具に関する。
【背景技術】
【０００２】
一般に、タケノコ堀具としては、断面視において、柄と刃板面との角が鋭角で、一般農作業、土木作業用の鍬、鋤が使用されている。また、タケノコ掘りに特化した、刃板の幅が細身の刃部のものでも、柄と刃部との連結角は一般農作業、土木作業用の鍬、鋤と同様である。
【０００３】
そのため、タケノコ掘り作業では、鋤、鍬を振り上げてから、タケノコの近傍の地面に振り下ろし、刃先から刃部を地中に打ち込み、地面と刃部裏面の接点を支点として、腕を伸ばし、柄上部を胸前方に押しやって、テコの原理で刃先を手前に持ち上げ、土と共にタケノコを掘り起こしていた。
【０００４】
タケノコは、一般に小面積の竹林で栽培され、また作業面が平坦でないこともあり、機械化できない。また、作業者の高齢化に伴い、竹林での移動、足下が安定しないところでの重い鋤の振り上げ、振り下ろし作業等、タケノコ掘り作業自体が困難になってきている。それにより、竹林の整備、管理が行われなくなり、放置竹林、竹林の拡大も問題になっている。
【０００５】
他方、特許文献１には、竹の子掘り、農作業、土木作業等の分野において、労力の軽減を多大に図れるようにした鍬用補助具および鍬が提案されている。具体的には、特許文献１の発明は、「鍬１の柄２の根元部分に装着される固定部１１と、同固定部１１に設けられ、鍬の刃３と反対を向く踏み台１２とを備える鍬用補助具１０を用いる。鍬１の柄２の根元部分に鍬用補助具１０を装着し、鍬１の刃３を地中Ｇへ打ち込み、反対側の踏み台１２に足を載せて体重を掛け、テコの原理を利用して、地中Ｇに打ち込んだ鍬１の刃３で竹の子や土を堀り起こす。鍬４０の刃３の刃固定部５の背面に踏み台４１を一体に設けてもよい。」というものである。
【０００６】
労力の軽減を図る、特許文献１であっても、鋤を振り上げ、振り下ろして刃を地中に打ち込む作業が依然として必要であり、刃部に加え鋤用補助具の重さも加わり、一層重いものになっている。
【先行技術文献】
【特許文献】
【０００７】
【特許文献１】特開２０１１−１９４８６号公報
【考案の概要】
【考案が解決しようとする課題】
【０００８】
そこで、本考案は、コンパクト、軽量で、作業性がよく、タケノコ掘りが簡単なうえ、その労力を大幅に軽減することができる、タケノコ堀具を提供することを目的とする。
【課題を解決するための手段】
【０００９】
本考案は、上記の課題を解決するために、
（１）
柄と、前記柄の上部に設けた取っ手と、前記柄の下端に設けた板状の刃部と、前記刃部の上方で前記柄に前記柄と直交する方向へ突設され、前記刃部の地面への突き刺しを補助するために足を載せ踏み込む箇所である足踏バーと、からなることを特徴とするタケノコ掘具。
（２）
前記刃部の縦断面形状が、前記刃部の刃先がタケノコ側方向に湾曲した凹形状であることを特徴とする請求項１に記載のタケノコ掘具。
（３）
前記足踏バーを、前記柄の対向する位置に左右２本備えることを特徴とする請求項１に記載のタケノコ掘具。
とした。
【考案の効果】
【００１０】
本考案であるタケノコ堀具は、上記構成であるので、コンパクト、軽量で、作業性がよく、タケノコ掘りが簡単なうえ、その労力を大幅に軽減することができる。
【図面の簡単な説明】
【００１１】
【図１】本考案であるタケノコ掘具の正面図である。
【図２】本考案であるタケノコ掘具の背面である。
【図３】本考案であるタケノコ掘具の左側面である。
【図４】本考案であるタケノコ掘具の右側面である。
【図５】本考案であるタケノコ掘具の平面である。
【図６】本考案であるタケノコ掘具の底面である。
【図７】本考案であるタケノコ掘具の図１のＡ−Ａ縦断面である。
【図８】本考案であるタケノコ掘具の底面側からの斜視写真である。
【図９】本考案であるタケノコ掘具の使用状態を示す図である。
【図１０】本考案であるタケノコ掘具の使用状態を示す図である。
【考案を実施するための形態】
【００１２】
以下、添付の図面を参照し、本考案の実施の形態の一例について詳細に説明する。なお、本考案は下記実施例に限定されるものではない。
【実施例１】
【００１３】
図１−１０に示すように、本考案であるタケノコ掘具１は、柄２と、柄２の上部に設けた取っ手３と、柄２の下端に設けた板状の刃部４と、刃部４の上方で柄２に柄２と直交する方向へ突設され、刃部４の地面への突き刺しを補助するために足を載せ踏み込む箇所である左右の足踏バー５、５ａとからなる。
【００１４】
柄２、取っ手３、及び足踏バー５、５ａは、ここでは、鉄パイプを切断、溶接して連結して利用した。鉄パイプであれば、入手容易で、加工しやすく、繰り返しのタケノコ掘り作業でも変形が少なくて適している。
【００１５】
柄２の刃部４との連結部分近くは、拡幅部２ａを形成する。拡幅部２ａは、パイプ形状の柄２を板状の刃板４ａに安定して、溶接、連結させるため、板状に押しつぶすことで形成される。
【００１６】
取っ手３は、ここでは、柄２とＴ字形状に連結したものを採用したが、その他、例えば、シャベル、スコップのような、三角形状の輪を採用することもできる。
【００１７】
刃部４は、使用時にタケノコ側に位置する側の中頃が窪んで全体的に弧状の刃板４ａと、刃板４ａの先端部に位置し、先端に向け略テーパー形状の刃先４ｂと、刃板４ａの反タケノコ側の横方向の略中央に図２中において、刃板４ａの上から下まで配置される板状の補強プレート４ｃとからなる。
【００１８】
刃板４ａは、望ましくは、軽量化と強度確保して、作業性向上のため、図示するように、補強プレート４ｃを採用して薄い板状にする。また、刃板４ａの横方向の幅は、例えば４ｃｍ以上１５ｃｍ以下、より望ましくは５ｃｍ〜７ｃｍの範囲とすると、刃部４を軽量化しつつ作業性を図れてよい。
【００１９】
刃先４ｂは、その幅が刃板４ａより先端に向け幅広になっている。作業性域の確保と軽量化を図っている。また、刃先４ｂの先端は、根とタケノコ１１とを容易に切断出来るよう鋭利にする。また、その刃先４ｂを強化するために、焼き入れ等を行う場合がある。
【００２０】
補強プレート４ｃは、刃板４ａに垂直に立設し、弧状の刃板４ａを薄くして、軽量化を図るとともに、作業による刃板４ａの変形を防止する。また拡幅部２ａとの接続部分を強化するために、拡幅部２ａの下部と刃部４にまたがって溶接にて補強プレート４ｃを立設する場合がある。そしてタケノコ１１の掘り起こし時にかなりの力が加わるため、補強プレート４ｃは後面だけでなく、前面にも立設することもある。
【００２１】
その結果、ここでは、刃部４の縦断面形状は、刃部４の刃先４ｂがタケノコ側方向に湾曲した凹形状となるが、刀部４の材質によっては湾曲が無くストレートになる場合もある。
【００２２】
足踏バー５、５ａは、ここでは、柄２の対向する位置の左右に２本備えるが、何れか一方としてもよく、また螺合などにより着脱式としてもよく、さらに、上方向に屈曲して使用しないときには折り畳み、コンパクト化を図ってもよい。
【００２３】
本発明の具体的な使用方法を、図９、１０に示す。先ず、柄２、取っ手３を操作して、窪んだ側の刃板４ａをタケノコ１１に向けて、タケノコ１１の近傍の地面１０に刃先４ｂを位置させる。
【００２４】
その状態で、足踏バー５（５ａ）に足を載せ、体重を掛けて足踏バー５（５ａ）を踏み込むと、図９に示すように、タケノコ１１の近傍に刃部４を差し込むことができる。
【００２５】
その後、図１０に示すように、地面１０と刃板４ａの裏側（補強プレート４ｃ側）の接点を支点として、腕を縮め（或いは腕を伸ばし）、取っ手３及び柄２の上部を胸側に近づけ（胸前方に押しやって）、テコの原理で作用点である刃先４ｂを取っ手３と逆側に移動させ、土と共にタケノコを掘り起こす。
【００２６】
これにより、持ち運びも楽で、刃板の突き刺しが極めて容易で作業性がよく、タケノコ掘りが簡単なうえ、その労力を大幅に軽減することができるようになる。
【符号の説明】
【００２７】
１      タケノコ掘具
２      柄
２ａ    拡幅部
３      取っ手
４      刃部
４ａ    刃板
４ｂ    刃先
４ｃ    補強プレート
５      足踏バー
５ａ    足踏バー
１０    地面
１１    タケノコ
【図１】
0003212042.tif 000003
【図２】
0003212042.tif 000004
【図３】
0003212042.tif 000005
【図４】
0003212042.tif 000006
【図５】
0003212042.tif 000007
【図６】
0003212042.tif 000008
【図７】
0003212042.tif 000009
【図８】
0003212042.tif 000010
【図９】
0003212042.tif 000011
【図１０】
0003212042.tif 000012